(57)【要約】      （修正有）【課題】リング部材の発光方法を工夫することによって、デザイン性に富んだ表示装置を提供する。【解決手段】見返し部材３と、指標部２１が形成された表示板と、表示板２の背面側に配置された光源７１，７２，７３と、導光性を有し指針軸８１を中心として指標部２１を指示しながら回動する指針４と、表示板２の表面側に配置され、光不透過部を有したリング部材９と、を備えた表示装置において、リング部材９は見返し部材３に形成された傾斜部３１に面した出光部を有し、出光部から出射する光が、傾斜部３１によって視認者方向へ反射されることによって、リング部材９の発光方法を工夫することができる。【選択図】図２
2015087150.tif 000002
【特許請求の範囲】
【請求項１】
見返し部材と、
表示意匠が形成された表示板と、
前記表示板の背面側に配置された光源と、
導光性を有し指針軸を中心として前記表示意匠を指示しながら回動する指針と、
前記表示板の表面側に配置され、光不透過部を有した装飾部材と、
を備えた表示装置において、
前記装飾部材は前記見返し部材に形成された傾斜部に面した光透過部を有し、前記光透過部から出射する光が、前記傾斜部によって反射されることを特徴とする表示装置。
【請求項２】
前記光透過部は、前記不透過部の一部をレーザー加工したものであることを特徴とする請求項１に記載の表示装置。
【発明の詳細な説明】
【技術分野】
【０００１】
本発明は、表示装置に関するものである。
【背景技術】
【０００２】
このような表示装置には、文字板の背面側に配置された光源からの光を、指針軸部の周辺部に入射して、文字板と指針との隙間から漏れ出た光を、指針の先端部に配置されたリング部材に反射させるものが知られている。
【先行技術文献】
【特許文献】
【０００３】
【特許文献１】特開２００３−２２２５３９号公報
【発明の概要】
【発明が解決しようとする課題】
【０００４】
しかしながら、このような表示装置は、文字板と指針との隙間から漏れ出た光が、リング部材の指針に面した側に反射することによって、指針用の光源でリング部材を照らすのみであって、デザイン性と商品性の乏しい表示装置になってしまうという問題点があった。
【０００５】
そこで、本発明は、リング部材の発光方法を工夫することによって、デザイン性に富んだ表示装置を提供することを目的とする。
【課題を解決するための手段】
【０００６】
本発明は、見返し部材と、表示意匠が形成された表示板と、前記表示板の背面側に配置された光源と、導光性を有し指針軸を中心として前記表示意匠を指示しながら回動する指針と、前記表示板の表面側に配置され、光不透過部を有した装飾部材と、を備えた表示装置において、前記装飾部材は前記見返し部材に形成された傾斜部に面した光透過部を有し、前記光透過部から出射する光が、前記傾斜部によって反射されるものである。
【０００７】
また、本発明は、前記光透過部は、前記不透過部の一部をレーザー加工したものである。
【発明の効果】
【０００８】
本発明によれば、リング部材の発光方法を工夫することによって、デザイン性に富んだ表示装置を提供することができる。
【図面の簡単な説明】
【０００９】
【図１】本発明の実施形態による表示装置の正面図。
【図２】同上の断面図。
【図３】同上の装飾部材の拡大図。
【発明を実施するための形態】
【００１０】
本発明の表示装置の実施形態について、添付図面を用いて以下に説明する。
【００１１】
図１、図２に示すように、本実施形態による表示装置は、表示板２と、見返し部材３と、指針４と、中ケース５と、回路基板６と、光源７と、リング部材９とから主に構成されている。
【００１２】
表示板２は、透明な板材に、指針４によって指示される数字や目盛などの表示意匠からなる指標部２１が印刷等によって設けられている。
【００１３】
見返し部材３は、不透過性の合成樹脂から形成され、表示板２の視認されない領域を覆い隠すためのものであり、視認者側に透明の前面ガラス１がはめ込まれている。また、本実施形態の見返し部材３は、その内周側であって、後述するリング部材９の出光部９１に対応した箇所に傾斜面３１を備えている。
【００１４】
傾斜面３１は、出光部９１から漏れる光を、視認者側へ反射させるためのものであり、その傾斜角は表示板２に対して鋭角が好ましいが、視認者側へ反射させることができるのであれば表示板２に対して鈍角であってもよい。
【００１５】
指針４は、透明樹脂から形成される発光指針であり、後述する第１光源７１によって照明されるものである。
【００１６】
光源７は、本実施形態においては、指針４を照明するための第1光源７１と、表示板２を照明するための第２光源７２と、後述するリング部材９を照明するための第３光源７３とから構成されている。
【００１７】
回路基板６は、周知の硬質な基板であり、前述した光源７のほかに、図示しないが電源回路や駆動回路などの制御手段が設けられている。回路基板６の背面側には、駆動源８が実装されており、駆動源８に設けられた指針軸８１の先端に指針４が装着される。
【００１８】
リング部材９は、透明な合成樹脂材が指標部２１の外周を囲うように形成された環状の装飾部材であって、第３光源７３によって照明されるものである。また、透明な合成樹脂材には、スモーク塗装９３やシルバー塗装（反射部）９４が施された後、レーザーエッチング加工により、一部分が削り取られ、透明な箇所（光透過性の箇所）が露出した箇所を出光部９１とするものである。
【００１９】
また、リング部材９は、表示板２の表面に両面テープなどで接着固定される。表示板２のリング部材９が接着固定される箇所には、透過性の着色層または、布透過層が施されないことによって、第３光源７３の光がリング部材の入光部９２に入光する。リング部材９の表面には、シルバー塗装９４がされているので、指針４と表示板２との隙間から漏れ出た第１光源７１の光を、視認者側に反射することも可能となる。
【００２０】
中ケース５は、白色の合成樹脂からなり、回路基板６上に配置される。本実施形態の場合は、第１光源７１の周囲に配置される筒状の指針用反射体５１と、第２光源の光を表示板に向けて反射させるためのお椀型の表示板用反射体５２と、リング部材の真下に配置される第３光源を囲うように配置される筒状のリング部材用反射体５３と、から構成されている。
【００２１】
このように構成された表示装置において、第１光源７１の光は、指針用反射体５１で乱反射することによって、指針４の基部（図示せず）から指針４に入光し、指針４を照明する。また、指針４と表示板２との隙間から漏れ出た光は、表示板２上を進行し、リング部材９の表面のシルバー塗装９４によって、視認者方向へ反射される。第２光源７２の光は、表示板用反射体５２によって、表示板方向に反射されることで表示板２を透過照明する。第３光源７３の光は、リング部材用反射体５３によって乱反射しながら上昇し、表示板２を透過したのち、リング部材９の入光部９２よりリング部材９に入光する。リング部材９に入光した光は、スモーク塗装９３やシルバー塗装９４がレーザー加工によって削られ透過部分が露出した出光部９１から、見返し部材３の傾斜面３１に向かって出光し、傾斜面３１で視認者方向へ反射される。
【００２２】
このように、見返し部材３と、指標部２１が形成された表示板と、表示板２の背面側に配置された光源７と、導光性を有し指針軸８１を中心として指標部２１を指示しながら回動する指針４と、表示板２の表面側に配置され、光不透過部を有したリング部材９と、を備えた表示装置において、リング部材は見返し部材３に形成された傾斜面３１に面した出光部９１を有し、出光部９１から出射する光が、傾斜面３１によって視認者方向へ反射されることによって、リング部材の発光方法を工夫することができるので、デザイン性に富んだ表示装置を提供することができる。
【００２３】
また、本発明は、出光部９１は、不透過部９４、９３の一部をレーザー加工したものであることによって、リング部材９の発光方法を工夫することができる、デザイン性に富んだ表示装置を提供することができる。
【符号の説明】
【００２４】
１    前面ガラス
２    表示板
３    見返し部材
４    指針
５    中ケース
６    回路基板
７    光源
３１  傾斜面（傾斜部）
７１  第１光源
７２  第２光源
７３  第３光源
８    駆動源
９    リング部材（装飾部材）
９１  出光部（光透過部）
９２  入光部
９３  スモーク塗装（不透過部）
９４  シルバー塗装（不透過部）
【図１】
2015087150.tif 000003
【図２】
2015087150.tif 000004
【図３】
2015087150.tif 000005